(57)【特許請求の範囲】
【請求項１】
複数の走査ライン及び複数の信号ラインの各交点近傍にマトリクス状に配列された複数の表示画素を備える表示パネルの前記各表示画素に表示制御信号を印加する駆動装置において、
前記各表示画素への前記表示制御信号の印加を停止しているスタンバイ状態と、複数の制御信号が印加され、該各制御信号に基づいて前記表示制御信号を前記各表示画素に印加している通常駆動状態と、に切り換え、前記スタンバイ状態から前記通常駆動状態に切り換える間に所定のスタンバイ解除期間を設ける手段と、
前記スタンバイ解除期間において、前記通常駆動状態に前記複数の制御信号の一部の特定の制御信号が印加される入力端子に、前記特定の制御信号を機能設定用の信号として印加して、該機能設定用の信号により当該駆動装置が有する少なくとも一つの機能の状態を設定する設定手段と、
を備えることを特徴とする駆動装置。
【請求項２】
前記スタンバイ状態を解除した直後の１垂直走査期間を前記スタンバイ解除期間とすることを特徴とする請求項１記載の駆動装置。
【請求項３】
前記駆動装置は、表示パネルの前記各走査ラインに走査信号を印加する手段を有することを特徴とする請求項１記載の駆動装置。
【請求項４】
前記機能設定用の信号は、クロック信号を含む複数の信号を有し、
前記設定手段は、前記機能設定用の信号における該クロック信号以外の何れかの信号を、該クロック信号に同期したシリアル信号として受信する機能を備えることを特徴とする請求項１記載の駆動装置。
【請求項５】
前記設定手段は、前記シリアル信号として受信した値を記憶する記憶手段を有することを特徴とする請求項４記載の駆動装置。
【請求項６】
複数の走査ライン及び複数の信号ラインの各交点近傍にマトリクス状に配列された複数の表示画素を備える表示パネルに所望の画像情報を表示する駆動装置において、
複数の走査側制御信号に基づいて前記各走査ラインに走査信号を印加する手段を有する走査側駆動手段と、複数の信号側制御信号に基づいて前記各信号ラインに表示データに基づく表示信号電圧を印加する信号側駆動手段と、を備え、
前記走査側駆動手段は、所定のスタンバイ状態切替指示信号に従って、前記各走査ラインへの前記走査信号の印加を停止しているスタンバイ状態と、前記各走査側制御信号に基づいて前記各走査ラインに前記走査信号を印加している通常状態と、に切り換え、前記スタンバイ状態から前記通常駆動状態に切り換える間に所定のスタンバイ解除期間を設ける手段と、前記スタンバイ解除期間において、前記通常駆動状態に前記複数の走査側制御信号の一部の特定の走査側制御信号が印加される入力端子に、前記特定の走査側制御信号を走査側機能設定用の信号として印加して、該走査側機能設定用の信号により当該走査側駆動手段が有する少なくとも一つの機能の状態を設定する設定手段と、を有し、
前記信号側駆動手段は、複数の制御信号、及び、前記走査側駆動手段及び前記信号側駆動手段における機能を設定する機能設定信号が供給され、該制御信号に基づいて前記走査側駆動装置を制御する前記走査側制御信号及び前記スタンバイ状態切替指示信号を前記走査側駆動手段に出力するとともに、前記スタンバイ解除期間中において、前記機能設定信号に基づいて、前記複数の走査側制御信号の一部の前記特定の走査側制御信号を前記走査側機能設定用の信号として前記走査側駆動装置に出力する制御信号制御手段を有することを特徴とする駆動装置。
【請求項７】
前記信号側駆動手段における前記制御信号制御手段は、前記機能設定信号の値を記憶する機能設定信号記憶手段と、前記スタンバイ解除期間中において、前記複数の走査側制御信号における前記特定の走査側制御信号を、前記機能設定信号記憶手段に記憶された値に基づいて、前記走査側機能設定用の信号として前記走査側駆動手段に出力する手段と、を有することを特徴とする請求項６記載の駆動装置。
【請求項８】
前記機能設定用の信号は、走査クロック信号を含む複数の信号を有し、
前記制御信号制御手段は、前記機能設定用の信号における該走査クロック信号以外の何れかの信号を、該走査クロック信号に同期したシリアル信号として出力する手段を有することを特徴とする請求項７記載の駆動装置。
【請求項９】
前記走査側駆動手段において、前記スタンバイ状態を解除した直後の１垂直走査期間を前記スタンバイ解除期間とすることを特徴とする請求項６記載の駆動装置。
【請求項１０】
前記走査側駆動手段において、前記機能設定用の信号は、走査クロック信号を含む複数の信号を有し、
前記設定手段は、前記機能設定用の信号における該走査クロック信号以外の何れかの信号を、該走査クロック信号に同期したシリアル信号として受信する機能を備えることを特徴とする請求項６記載の駆動装置。
【請求項１１】
前記設定手段は、前記シリアル信号として受信した値を記憶する記憶手段を有することを特徴とする請求項１０記載の駆動装置。
【発明の詳細な説明】
【技術分野】
【０００１】
本発明は、表示パネルを駆動する駆動装置に関し、特に表示パネルの各走査ラインに走査信号を印加するゲートドライバに関する。
【背景技術】
【０００２】
アクティブマトリクス方式の液晶表示装置では、液晶表示パネル上に複数の走査線及び信号線がそれぞれ直交して配設され、各交点近傍に表示画素が形成されている。各表示画素は、ＴＦＴ（Thin Film Transistor：薄膜トランジスタ）を介して信号ライン及び走査ラインに接続された画素電極と共通電極との間に液晶が充填された液晶容量を有する。
【０００３】
このような液晶表示装置では、ゲートドライバ（走査ドライバ）によって各走査ラインに走査信号（ゲートパルス）が順次印加されて選択状態（高電位状態）となると、対応する表示画素のＴＦＴがオン状態となる。そして、ソースドライバ（信号ドライバ）によって各信号ラインに印加された表示信号電圧がＴＦＴを介して画素電極に印加されることにより、この表示信号電圧と共通電極に印加されているコモン電圧ＶＣＯＭとの差電圧が対応する液晶容量に印加、充電され、液晶分子の配向状態が制御されることで、所望の画像が液晶表示パネルに表示される。
【０００４】
ところで、従来のソースドライバにおいては、シリアル通信機能が設けられ、これにより各種の機能の設定・変更が行えるように構成されたものがある。即ち、ソースドライバにはシリアル通信のための入力端子が設けられ、この入力端子に、表示パネルの表示制御を行うコントローラからソースドライバの各種の機能の設定・変更のためのコマンドデータがシリアル信号として入力され、入力されたコマンドデータに応じた制御が行われる。コマンドデータにより制御される機能としては、例えば、ブライト電圧やコントラスト調整、クロック信号の極性設定、バックライト制御、スタンバイ設定、左右反転の設定、階調電圧アンプの駆動能力の選択、パーシャル駆動を行うパーシャルブロックの選択等がある（例えば、特許文献１参照）。
【特許文献１】特開２００４−２０５６３４号公報
【発明の開示】
【発明が解決しようとする課題】
【０００５】
しかしながら、従来、ゲートドライバにはこのようなシリアル通信機能が設けられておらず、ゲートドライバの各機能は予め設定された値に固定されていた。このため、用途に応じて適当な機能に設定したゲートドライバを用意する必要があり、汎用性に乏しいという問題があった。
【０００６】
また、上述したようなシリアル通信機能を有するドライバにおいては、シリアル通信のための専用の入力端子が設けられていたため、ドライバの入力端子数が増加するという問題があった。
【０００７】
上記事情に鑑み、本発明は、表示パネルを駆動するドライバ、特にゲートドライバにおいて、入力端子数を増加することなく、外部から機能の設定・変更を可能とすることを目的としている。
【課題を解決するための手段】
【０００８】
上記課題を解決するための請求項１に記載の発明は、複数の走査ライン及び複数の信号ラインの各交点近傍にマトリクス状に配列された複数の表示画素を備える表示パネルの前記各表示画素に表示制御信号を印加する駆動装置において、前記各表示画素への前記表示制御信号の印加を停止しているスタンバイ状態と、複数の制御信号が印加され、該各制御信号に基づいて前記表示制御信号を前記各表示画素に印加している通常駆動状態と、に切り換え、前記スタンバイ状態から前記通常駆動状態に切り換える間に所定のスタンバイ解除期間を設ける手段と、前記スタンバイ解除期間において、前記通常駆動状態に前記複数の制御信号の一部の特定の制御信号が印加される入力端子に、前記特定の制御信号を機能設定用の信号として印加して、該機能設定用の信号により当該駆動装置が有する少なくとも一つの機能の状態を設定する設定手段と、を備えることを特徴とする。
【０００９】
請求項２に記載の発明は、請求項１記載の駆動装置において、前記スタンバイ状態を解除した直後の１垂直走査期間を前記スタンバイ解除期間とすることを特徴とする。
【００１０】
請求項３に記載の発明は、請求項１記載の駆動装置において、前記駆動装置は、表示パネルの前記各走査ラインに走査信号を印加する手段を有することを特徴とする。
【００１１】
請求項４に記載の発明は、請求項１記載の駆動装置において、前記機能設定用の信号は、クロック信号を含む複数の信号を有し、前記設定手段は、前記機能設定用の信号における該クロック信号以外の何れかの信号を、該クロック信号に同期したシリアル信号として受信する機能を備えることを特徴とする。
【００１２】
請求項５に記載の発明は、請求項４記載の駆動装置において、前記設定手段は、前記シリアル信号として受信した値を記憶する記憶手段を有することを特徴とする。
【００１３】
請求項６に記載の発明は、複数の走査ライン及び複数の信号ラインの各交点近傍にマトリクス状に配列された複数の表示画素を備える表示パネルに所望の画像情報を表示する駆動装置において、複数の走査側制御信号に基づいて前記各走査ラインに走査信号を印加する手段を有する走査側駆動手段と、複数の信号側制御信号に基づいて前記各信号ラインに表示データに基づく表示信号電圧を印加する信号側駆動手段と、を備え、前記走査側駆動手段は、所定のスタンバイ状態切替指示信号に従って、前記各走査ラインへの前記走査信号の印加を停止しているスタンバイ状態と、前記各走査側制御信号に基づいて前記各走査ラインに前記走査信号を印加している通常状態と、に切り換え、前記スタンバイ状態から前記通常駆動状態に切り換える間に所定のスタンバイ解除期間を設ける手段と、前記スタンバイ解除期間において、前記通常駆動状態に前記複数の走査側制御信号の一部の特定の走査側制御信号が印加される入力端子に、前記特定の走査側制御信号を走査側機能設定用の信号として印加して、該走査側機能設定用の信号により当該走査側駆動手段が有する少なくとも一つの機能の状態を設定する設定手段と、を有し、前記信号側駆動手段は、複数の制御信号、及び、前記走査側駆動手段及び前記信号側駆動手段における機能を設定する機能設定信号が供給され、該制御信号に基づいて前記走査側駆動装置を制御する前記走査側制御信号及び前記スタンバイ状態切替指示信号を前記走査側駆動手段に出力するとともに、前記スタンバイ解除期間中において、前記機能設定信号に基づいて、前記複数の走査側制御信号の一部の前記特定の走査側制御信号を前記走査側機能設定用の信号として前記走査側駆動装置に出力する制御信号制御手段を有することを特徴とする。
【００１４】
請求項７に記載の発明は、請求項６記載の駆動装置において、前記信号側駆動手段における前記制御信号制御手段は、前記機能設定信号の値を記憶する機能設定信号記憶手段と、前記スタンバイ解除期間中において、前記複数の走査側制御信号における前記特定の走査側制御信号を、前記機能設定信号記憶手段に記憶された値に基づいて、前記走査側機能設定用の信号として前記走査側駆動手段に出力する手段と、を有することを特徴とする。
【００１５】
請求項８に記載の発明は、請求項７記載の駆動装置において、前記機能設定用の信号は、走査クロック信号を含む複数の信号を有し、前記制御信号制御手段は、前記機能設定用の信号における該走査クロック信号以外の何れかの信号を、該走査クロック信号に同期したシリアル信号として出力する手段を有することを特徴とする。
【００１６】
請求項９に記載の発明は、請求項６記載の駆動装置において、前記走査側駆動手段において、前記スタンバイ状態を解除した直後の１垂直走査期間を前記スタンバイ解除期間とすることを特徴とする。
【００１７】
請求項１０に記載の発明は、請求項６記載の駆動装置において、前記走査側駆動手段において、前記機能設定用の信号は、走査クロック信号を含む複数の信号を有し、前記設定手段は、前記機能設定用の信号における該走査クロック信号以外の何れかの信号を、該走査クロック信号に同期したシリアル信号として受信する機能を備えることを特徴とする。
【００１８】
請求項１１に記載の発明は、請求項１０記載の駆動装置において、前記設定手段は、前記シリアル信号として受信した値を記憶する記憶手段を有することを特徴とする。
【発明の効果】
【００１９】
本発明によれば、駆動装置において、スタンバイ解除期間中に各入力端子に入力される複数の制御信号の一部の特定の制御信号を機能設定用の信号として用い、当該機能設定用の信号に基づいて、駆動装置における機能の値が設定・変更される。従って、機能設定用の入力端子を別途設けるといったことなく、外部から機能の設定・変更が可能となり、汎用性が高められる。
【発明を実施するための最良の形態】
【００２０】
以下、図面を参照して、本発明に好適な実施形態を説明する。
【００２１】
［液晶表示装置］
図１は、本実施形態における液晶表示装置１の構成図である。同図によれば、液晶表示装置１は、液晶表示パネル１０と、液晶表示パネル１０の駆動回路である２チップ構成を成すソースドライバモジュール２０（信号側駆動手段）及びゲートドライバモジュール３０（走査側駆動手段）とを備えている。
【００２２】
液晶表示パネル１０には、行方向に、ゲートドライバ回路３２に接続された複数の走査ラインＬｇが配設されているとともに、各走査ラインＬｇに直交するよう、列方向に、複数の信号ラインＬｓが配設されている。そして、走査ラインＬｇと信号ラインＬｓとの各交点近傍に表示画素が二次元配列されている。
【００２３】
図２に、表示画素の等価回路を示す。同図によれば、表示画素は、アクティブ素子であるＴＦＴ（薄膜トランジスタ）１１と、ＴＦＴ１１を介して走査ラインＬｇ及び信号ラインＬｓに接続された画素電極１２と、画素電極と対向する位置に配置され、コモン電圧ＶＣＯＭが印加される共通電極１３と、画素電極１２と共通電極１３との間に液晶が充填されて成る画素容量（液晶容量）１４と、画素容量１４と並列に設けられ、画素容量１４に印加される表示信号電圧を保持する補助容量１５と、補助容量１５に接続されてコモン電圧ＶＣＯＭが印加される共通ラインＬｃとから構成されている。
【００２４】
ゲートドライバモジュール３０によって各走査ラインＬｇに走査信号（ゲートパルス）が順次印加されて選択状態（高電位状態）となると、対応する各表示画素のＴＦＴ１１がオン動作する。そして、ソースドライバ回路２２から各信号ラインＬｓに印加（供給）された表示信号電圧がＴＦＴ１１を介して各画素電極１２に印加されることにより、表示信号電圧と共通電極に印加されたコモン電圧ＶＣＯＭとの差電圧で画素容量１４が充電され、該差電圧に応じて各表示画素における液晶分子の配向状態が制御される。これにより、所望の画像が液晶表示パネル１０に表示される。
【００２５】
図１において、ソースドライバモジュール２０は、ソースドライバ回路２２（信号側駆動回路）と、ロジック部２４（制御回路）と、アナログ回路２６とを有する。ゲートドライバモジュール３０は、ゲートドライバ回路３２（走査側駆動回路）と、アナログ回路３４とを有する。ここで、アナログ回路２６及びアナログ回路３４は、ソースドライバ回路２２及びゲートドライバ回路３２の動作に用いられる複数の電圧を生成する回路であり、例えば、アナログ回路２６は表示データのビット数に応じた複数の階調電圧を生成し、また、アナログ回路３４は、例えばチャージポンプ回路を備え、ゲートドライバ回路３２による走査信号の生成に必要な電圧を生成する。詳しくは、後述する。
【００２６】
ソースドライバ回路２２には、液晶表示パネル１０の信号ラインＬｓが接続されている。ソースドライバ回路２２は、ロジック部２４から入力されるソースドライバ制御信号に基づいて、例えば、アナログ回路２６から入力される階調電圧のうちから表示データに応じた階調電圧を選択し、表示信号電圧として各信号ラインＬｓに印加する。
【００２７】
ロジック部２４には、ソースドライバモジュール２０外部から、映像信号より抽出されたＲ（赤）、Ｇ（緑）、Ｂ（青）の各色の表示データと、水平同期信号や垂直同期信号、コンポジット同期信号を含む同期信号及び各種の制御信号が入力されるとともに、シリアル信号として機能設定データ（機能設定信号）が入力される。
【００２８】
機能設定データは、前述のソースドライバに対する各種の機能の設定データに加えて、ゲートドライバモジュール３０における機能を設定するためのデータを有するものであり、例えば、アナログ回路３４が有するチャージポンプ回路の出力電圧の設定や駆動パルスＣＰの周波数の設定等が含まれる。
【００２９】
ロジック部２４は同期信号及び各制御信号に基づいてソースドライバ制御信号（信号側制御信号）を生成してソースドライバ回路２２に出力するとともに、ゲートドライバ制御信号（走査側制御信号）を生成してゲートドライバモジュール３０のゲートドライバ回路３２に出力し、ソースドライバ回路２２においてソースドライバ制御信号に基づいて表示データに応じた階調電圧を選択し、所定のタイミングで液晶表示パネル１０の各表示画素に表示信号電圧を印加させて、表示データに基づく画像を液晶表示パネル１０に表示させる。また、入力される同期信号に基づいて極性反転信号ＦＲＰを生成してアナログ回路２６に出力する。更に、アナログ回路３４が有する不図示のチャージポンプ回路を駆動するためのチャージポンプ駆動パルスＣＰを生成し、アナログ回路３４に出力する。
【００３０】
ここで、ゲートドライバ制御信号は、スタンバイ信号ＳＴＢＹＢと、ゲート出力オフ信号ＧＲＥＳと、ゲートスタート信号ＧＲＳＴと、ゲートクロック信号ＧＰＣＫとを含む。スタンバイ信号ＳＴＢＹＢは、液晶表示装置１の通常駆動状態／スタンバイ状態の切り替えを制御する信号（スタンバイ状態切替指示信号）である。ゲート出力オフ信号ＧＲＥＳは、走査信号を“Ｌ”レベル（ゲートパルス無し）に制御する信号である。ゲートスタート信号ＧＲＳＴは、１垂直走査期間を規定するパルス信号である。ゲートクロック信号ＧＰＣＫは、ゲートドライバ回路３２の動作用のクロック信号である。
【００３１】
アナログ回路２６は、ソースドライバモジュール２０の各部で必要な電圧を生成する。例えば、アナログ回路３４から入力される基準電圧を抵抗分圧して、ソースドライバ回路２２の駆動電源電圧を生成する。また、液晶表示パネル１０の階調数に応じた階調電圧を生成し、ソースドライバ回路２２に出力する。
【００３２】
また、アナログ回路２６は、ロジック部２４から入力される極性反転信号ＦＲＰに基づいて極性を反転させた矩形波等のコモン電圧ＶＣＯＭの生成のためのＶＣＯＭ基準信号を生成する。アナログ回路２６により生成されたＶＯＣＭ基準信号は、不図示の駆動アンプに出力される。この駆動アンプは、入力されるＶＣＯＭ基準信号に基づいて、液晶表示パネル１０の共通ラインＬｃ及び共通電極１３に印加するコモン電圧ＶＣＯＭを生成する。
【００３３】
ゲートドライバ回路３２には、液晶表示パネル１０の走査ラインＬｇが接続されている。ゲートドライバ回路３２は、ロジック部２４から入力されるゲートドライバ制御信号に従って、各走査ラインＬｇに走査信号を順次印加して選択状態とする。
【００３４】
アナログ回路３４は、チャージポンプ回路やレギュレータ回路を有し、ゲートドライバモジュール３０の各部で必要な電圧を生成する。例えば、ゲートドライバ回路３２の駆動電源電圧を生成する。また、ソースドライバ回路２２の駆動用の基準電圧を生成してアナログ回路２６に出力する。
【００３５】
ところで、液晶表示装置では、液晶表示装置が搭載された機器が待機状態となったとき、液晶表示パネルを非表示状態に設定するとともに、必要最小限の部分のみを動作させて消費電力を低減させたスタンバイ状態に設定する機能を有しているものがある。本実施形態における液晶表示装置１は、このようなスタンバイ状態に設定する機能を有しているものとする。この場合、スタンバイ状態では、ソースドライバ回路２２の出力がハイインピーダンス状態とされるとともに、ゲートドライバ回路３２による垂直走査（ゲートパルスの出力）が停止される。このゲートドライバ回路３２の垂直走査は、スタンバイ信号によって制御される。
【００３６】
また、スタンバイ状態から通常駆動状態に移行する際には、スタンバイ状態から直ぐに通常駆動状態に移行できるのではなく、少なくとも１垂直走査期間以上、例えば２垂直走査期間の期間で成るスタンバイ解除期間を経た後、移行する。これは、アナログ回路２６，３４により生成される電圧が所定の値に達するまでにある程度の時間を要するためである。そこで、本実施形態では、このスタンバイ解除期間のうちの所定期間、例えばスタンバイ状態の解除直後の１垂直走査期間を、ゲートドライバ回路３２に駆動用の機能設定データを設定する機能設定期間とする。
【００３７】
具体的に説明する。
図３は、ゲートドライバ回路３２における機能設定データの設定にかかるソースドライバモジュール２０及びゲートドライバモジュール３０の要部構成を示す図である。同図によれば、ゲートドライバ回路３２における機能設定にかかる構成要素として、ロジック部２４はレジスタ２５（機能設定信号記憶手段）を有し、ゲートドライバ回路３２はレジスタ３３（機能設定値記憶手段）を有する。
【００３８】
レジスタ２５は、ソースドライバモジュール２０外部から入力される機能設定データを記憶する。
【００３９】
ロジック部２４は、ゲートドライバ制御信号として、ゲート出力オフ信号ＧＲＥＳ、スタンバイ信号ＳＴＢＹＢ、ゲートスタート信号ＧＲＳＴ及びゲートクロック信号ＧＰＣＫを含む複数の制御信号をゲートドライバ回路３２に出力する。また、機能設定期間では、ゲート出力オフ信号ＧＲＥＳとして、レジスタ２５に記憶されている、ゲートドライバモジュール３０の機能設定に係わる機能設定データを出力する。
【００４０】
ゲートドライバ回路３２には、ロジック部２４から出力されるゲート出力オフ信号ＧＲＥＳ、スタンバイ信号ＳＴＢＹＢ、ゲートスタート信号ＧＲＳＴ及びゲートクロック信号ＧＰＣＫを含む複数のゲートドライバ制御信号が入力される。そして、ゲートドライバ回路３２は、通常駆動状態では、入力されるこれら各信号に従って、液晶表示パネル１０の各走査ラインＬｇに走査信号（ゲートパルス）を印加する。また、機能設定期間では、入力されるゲート出力オフ信号ＧＲＥＳを設定信号として用い、この信号によりシリアル信号として入力されるデータを機能設定データ（ｂｉｔ０，１，・・・，ｎ）としてレジスタ３３に記憶させる。
【００４１】
図４は、ロジック部２４とゲートドライバ回路３２との間の信号波形を示す図であり、図中、上から順に、スタンバイ信号ＳＴＢＹＢ、ゲートスタート信号（走査開始信号）ＧＲＳＴ、ゲートクロック信号（走査クロック信号）ＧＰＣＫ、ゲート出力オフ信号（走査出力オフ信号）ＧＲＥＳ、のそれぞれの信号波形を示している。
【００４２】
同図によれば、先ず、初期状態として、スタンバイ信号ＳＴＢＹＢが“Ｌ”レベルであり、スタンバイ状態に設定されているとする。また、ゲートスタート信号ＧＲＳＴ、ゲートクロック信号ＧＰＣＫ及びゲート出力オフ信号ＧＲＥＳは全て“Ｌ”レベルである。
【００４３】
そして、時刻ｔ１において、スタンバイ信号ＳＴＢＹＢが“Ｌ”レベルから“Ｈ”レベルに変化し、スタンバイ状態が解除されてスタンバイ解除期間となる。このスタンバイ解除期間において、ゲートスタート信号ＧＲＳＴの最初のパルスが立ち下がる時刻ｔ２からその次のパルスが立ち下がる時刻ｔ３までの期間である１垂直走査期間が機能設定期間とされる。
【００４４】
即ち、機能設定期間において、ロジック部２４は、レジスタ２５に記憶されている機能設定データを読み出し、ゲート出力オフ信号ＧＲＥＳとして、例えば最下位ビットから順に１ビットづつ、ゲートクロック信号に同期させてゲートドライバ回路３２にシリアル信号として出力する。一方、ゲートドライバ回路３２は、この機能設定期間において、ロジック部２４から入力されるゲート出力オフ信号ＧＲＥＳを機能設定信号とみなし、このゲート出力オフ信号ＧＲＥＳをゲートクロック信号ＧＰＣＫに同期したシリアル信号として受信して取り込み、取り込んだ順に、ビットデータｂｉｔ０，１，・・・，ｎ、としてレジスタ３３に記憶させる。
【００４５】
その後、スタンバイ解除期間が終了すると、通常駆動期間に移行し、走査信号（ゲートパルス）の出力が開始されて垂直走査が開始される。
【００４６】
このように、スタンバイ解除期間中の機能設定期間において、ソースドライバモジュール２０のロジック部２４から、レジスタ２５に記憶された機能設定データがゲート出力オフ信号ＧＲＥＳとしてゲートドライバモジュール３０のゲートドライバ回路３２に出力され、レジスタ３３に記憶される。そして、このレジスタ３３に記憶された機能設定データを基に、ゲートドライバ回路３２における液晶表示パネル１０の駆動の各種の機能が設定される。
【００４７】
ゲートドライバ回路３２に設定された機能設定データによる機能設定の一例として、アナログ回路３４が有するチャージポンプ回路に適用した場合を説明する。
【００４８】
図５は、アナログ回路３４が有するチャージポンプ型電源回路３５の回路構成を示す図である。同図によれば、チャージポンプ型電源回路３５は、入力電圧ＶＣＣを所定倍に昇圧して出力電圧ＶＤＤを出力する電源回路であり、レギュレータ３５１と、チャージポンプ回路３５２と、抵抗Ｒ１〜３と、スイッチＳＷ１，２と、誤差アンプ３５３とを備えて構成される。
【００４９】
レギュレータ３５１は、例えばｐ−ＭＯＳＦＥＴ等で構成され、入力電圧ＶＣＣ及び誤差アンプ３５３から入力される制御信号に応じて電圧Ｖｃの値を制御して出力する。具体的には、制御信号が正電圧の場合には、該制御信号の電圧値に応じて電圧Ｖｃの値を入力電圧ＶＣＣに対して減少させて出力し、負電圧の場合には、該制御信号の電圧値（絶対値）に応じて電圧Ｖｃの値を入力電圧ＶＣＣに対して増加させて出力する。これにより、入力電圧ＶＤＤが上昇したとき制御信号が正電圧となり、入力電圧ＶＩＮが減少したとき制御信号が負電圧となって、制御信号に応じて制御される電圧Ｖｃの値は、一定の値に近づく方向に制御される。
【００５０】
チャージポンプ回路３５２は、少なくとも１つのキャパシタ及びスイッチを有し、ロジック部２４から入力されるチャージポンプ駆動パルスＣＰに従ってこれらのスイッチを交互に開閉し、キャパシタに充電された電圧を加算することで、レギュレータ３５１から入力される電圧Ｖｃを所定倍に昇圧して出力する。
【００５１】
また、チャージポンプ回路３５２の出力電圧ＶＤＤは、直列接続された抵抗Ｒ１〜Ｒ３によって分圧され、スイッチＳＷ１，２を介して比較電圧Ｖａとして誤差アンプ３５３の正端子（＋）に入力される。
【００５２】
スイッチＳＷ１は、抵抗Ｒ１，２の接続点と誤差アンプ３５３の正端子（＋）との間に接続さている。スイッチＳＷ２は、抵抗Ｒ２，３の接続点と誤差アンプ３５３の正端子（＋）との間に接続されている。そして、スイッチＳＷ１，２は、所定の切替信号に従って、一方がオンされ、他方がオフされる。
【００５３】
ここで、抵抗Ｒ１〜３それぞれの抵抗値が全て等しく「Ｒ」であるとすると、誤差アンプ３５３の正端子（＋）に入力される比較電圧Ｖａは、次のようになる。即ち、スイッチＳＷ１がオン、スイッチＳＷ２がオフの場合、比較電圧Ｖａは、Ｖａ＝ＶＤＤ×２／３、となる。また、スイッチＳＷ１がオフ、スイッチＳＷ２がオンの場合、比較電圧Ｖａは、Ｖａ＝ＶＤＤ×１／３、となる。
【００５４】
誤差アンプ３５３の正端子（＋）には、出力電圧ＶＤＤを抵抗Ｒ１〜３によって分圧した比較電圧Ｖａが入力され、負端子（−）には、所定の比較電圧Ｖｂが入力される。そして、誤差アンプ３５３は、正端子（＋）に入力された比較電圧Ｖａと、負端子（−）に入力された基準電圧Ｖｂとの電圧差ΔＶを、制御信号としてレギュレータ３５１に出力する。
【００５５】
このように構成されるチャージポンプ型電源回路３５において、レジスタ３３に記憶されたビットデータのうち、例えばビットデータｂｉｔ０，１が、機能設定に用いられる。
【００５６】
具体的には、ビットデータｂｉｔ０の値により、出力電圧ＶＤＤが選択される。図６（ａ）に、ｂｉｔ０の値による出力電圧の選択の一例を示す。同図（ａ）によれば、ビットデータｂｉｔ０の値が「０」ならば、出力電圧ＶＤＤは、予め定められた電圧ＶＤＤ０とされる。また、ビットデータｂｉｔ０の値が「１」ならば、出力電圧ＶＤＤは、予め定められた電圧ＶＤＤ１とされる。
【００５７】
詳細には、出力電圧ＶＤＤの設定は、スイッチＳＷ１，２のオン／オフの切り替えによって実現される。即ち、ビットデータｂｉｔ１が「０」ならば、スイッチＳＷ１がオフ、スイッチＳＷ２がオンとされる。すると、誤差アンプ３５３の正端子（＋）に入力される比較電圧Ｖａは、Ｖａ＝ＶＤＤ×２／３、となる。ビットデータｂｉｔが「１」ならば、スイッチＳＷ１がオン、スイッチＳＷ２がオフとされる。すると、誤差アンプ３５３の正端子（＋）に入力される比較電圧Ｖａは、Ｖａ＝ＶＤＤ×１／３、となる。このように、スイッチＳＷ１，２を切り替えて比較電圧Ｖａを異ならせることで、異なる２種類の出力電圧ＶＤＤが設定される。
【００５８】
また、レジスタ３３に記憶された機能設定データのうち、ビットデータｂｉｔ１の値により、チャージポンプ駆動パルスＣＰの周波数が選択される。図６（ｂ）に、ビットデータｂｉｔ１の値によるチャージポンプ駆動パルスＣＰの周波数の選択の一例を示す。同図（ｂ）によれば、ビットデータｂｉｔ１の値が「０」ならば、チャージポンプ駆動パルスＣＰの周波数は、予め定められた通常周波数とされる。また、ビットデータｂｉｔ１の値が「１」ならば、チャージポンプ駆動パルスＣＰの周波数は、通常周波数の１／２の周波数とされる。
【００５９】
［作用・効果］
以上、本実施形態によれば、液晶表示装置１がスタンバイ状態から通常起動状態に移行する間のスタンバイ解除期間中の所定期間が機能設定期間とされ、この機能設定期間においてゲートドライバ回路３２に駆動用の機能設定データが設定される。即ち、機能設定期間では、ロジック部２４は、内部レジスタ２５に記憶されているゲートドライバ回路３２の機能を設定するための機能設定データを、ゲート出力オフ信号ＧＲＥＳとしてゲートドライバ回路３２に出力する。そして、ゲートドライバ回路３２は、入力されるゲート出力オフ信号ＧＲＥＳを設定信号とみなしてゲートクロック信号ＧＰＣＫに同期して取り込み、機能設定データとして内部レジスタ３３に記憶させる。従って、ゲートドライバ回路３２に、機能の設定のための入力端子を新たに別途設けることなく、外部からの機能の設定が可能となり、汎用性が高められる。
【図面の簡単な説明】
【００６０】
【図１】本実施形態における液晶表示装置の構成図。
【図２】表示画素の等価回路。
【図３】ソースドライバモジュール及びゲートドライバモジュールの要部構成図。
【図４】ロジック部・ゲートドライバ回路間の信号波形図。
【図５】チャージポンプ電源回路の回路構成図。
【図６】チャージポンプ型電源回路の機能設定例。
【符号の説明】
【００６１】
１  液晶表示装置
１０  液晶表示パネル
Ｌｓ  信号ライン
Ｌｇ  走査ライン
２０  ソースドライバモジュール
２２  ソースドライバ回路
２４  ロジック部
２５  レジスタ
２６  アナログ回路
３０  ゲートドライバモジュール
３２  ゲートドライバ回路
３３  レジスタ
３４  アナログ回路
３５  チャージポンプ型電源回路
【図１】
0004830424.tif 000002
【図２】
0004830424.tif 000003
【図３】
0004830424.tif 000004
【図４】
0004830424.tif 000005
【図５】
0004830424.tif 000006
【図６】
0004830424.tif 000007